(57)【特許請求の範囲】
【請求項１】
レベルワインド機構を有さない両軸受リールであって、
第１リール本体部及び第２リール本体部を有するリール本体と
前記第１リール本体部と前記第２リール本体部との間に配置されるスプールと、
前記リール本体に取り付けられ、前記スプールから前方へ繰り出される釣糸の移動範囲を規制するガイド部材と、
を備え、
前記ガイド部材は、前方から見た状態において前記第１リール本体部及び第２リール本体部と重複しており、第１リール本体部及び第２リール本体部と当接する、
両軸受リール。
【請求項２】
前記ガイド部材は、板状である、
請求項１に記載の両軸受リール。
【請求項３】
前記ガイド部材は、
軸方向に延び、前記リール本体に取り付けられる取付部と、
前記取付部の第１端部から周方向に延びる第１ガイド部と、
前記取付部の第２端部から周方向に延びる第２ガイド部と、
軸方向に延び、前記第１ガイド部と前記第２ガイド部とを連結する第３ガイド部と、
を有する、請求項１又は２に記載の両軸受リール。
【請求項４】
前記第１ガイド部は、前記第１リール本体部と当接する、
請求項３に記載の両軸受リール。
【請求項５】
前記第２ガイド部は、前記第２リール本体部の外周面と間隔をあけて配置されており、
前記ガイド部材は、前記第２ガイド部から前記第２リール本体部に向かって径方向内側に延びる当接部をさらに有し、
前記当接部は、第２リール本体部と当接する、
請求項３又は４に記載の両軸受リール。
【請求項６】
前記第２ガイド部は、前記第２リール本体部と当接する、
請求項３又は４に記載の両軸受リール。
【請求項７】
前記第１リール本体部は、第１凹部を外周面に有しており、
前記ガイド部材は、前記第１凹部に嵌合する第１凸部を有している、
請求項１から６のいずれかに記載の両軸受リール。
【請求項８】
前記ガイド部材は、周方向における一方の端部において前記第１凸部を有し、周方向における他方の端部において前記リール本体に取り付けられる、
請求項７に記載の両軸受リール。
【請求項９】
前記第２リール本体部は、第２凹部を外周面に有しており、
前記ガイド部材は、前記第２凹部に嵌合する第２凸部を有している、
請求項１から８のいずれかに記載の両軸受リール。
【請求項１０】
前記ガイド部材は、周方向における一方の端部において前記第２凸部を有し、周方向における他方の端部において前記リール本体に取り付けられる、
請求項９に記載の両軸受リール。
【発明の詳細な説明】
【技術分野】
【０００１】
本発明は、両軸受リールに関するものである。
【背景技術】
【０００２】
両軸受リールは、リール本体、スプール、ハンドル、及び回転伝達機構を有している。スプールは、リール本体に回転可能に支持されている。ハンドルは、リール本体の側面に回転可能に取り付けられている。ハンドルを回転させると、スプールが回転する。
【０００３】
ジギングを行う際に釣糸に作用する抵抗を軽減するためにレベルワインド機構を省いた両軸受リールが知られている。しかしながら、このようなレベルワインド機構を省いた両軸受リールでは、次のような問題がある。釣竿を下げたりして釣糸に作用する張力が減少した時に風が吹くと、釣糸がリール本体内の外側に移動してしまう場合がある。このような状態で釣糸をスプールに巻きつけると、釣糸がスプールの片側に偏った状態で巻きつけられてしまう。この問題を解消するために、特許文献１に記載の両軸受リールは、釣糸の移動範囲を規制するためのガイド部材を備えている。
【先行技術文献】
【特許文献】
【０００４】
【特許文献１】特開２００５−１３０７０７号公報
【発明の概要】
【発明が解決しようとする課題】
【０００５】
しかしながら、上記両軸受リールでは、ガイド部材とリール本体との間に釣糸が入り込むという問題が発生するおそれがある。
【０００６】
本発明の課題は、ガイド部材とリール本体との間に釣糸が入り込むことを防止することにある。
【課題を解決するための手段】
【０００７】
本発明のある側面に係る両軸受リールは、リール本体と、スプールと、ガイド部材とを備えている。リール本体は、第１リール本体部及び第２リール本体部を有する。スプールは、第１リール本体部と第２リール本体部との間に配置される。ガイド部材は、リール本体に取り付けられている。ガイド部材は、スプールから前方へ繰り出される釣糸の移動範囲を規制するように構成されている。ガイド部材は、前方から見た状態において第１リール本体部及び第２リール本体部と重複している。ガイド部材は、第１リール本体部及び第２リール本体部と当接する。
【０００８】
この構成によれば、前方から見た状態において、ガイド部材は、第１リール本体部及び第２リール本体部と重複するとともに、第１リール本体部と第２リール本体部とに当接している。このため、ガイド部材とリール本体との間に釣糸が入り込むことを防止できる。
【０００９】
好ましくは、ガイド部材は、板状である。
【００１０】
好ましくは、ガイド部材は、取付部と、第１ガイド部材と、第２ガイド部材と、第３ガイド部材と、を有する。取付部は、軸方向に延び、リール本体に取り付けられる。第１ガイド部は、取付部の第１端部から周方向に延びる。第２ガイド部は、取付部の第２端部から周方向に延びる。第３ガイド部は、軸方向に延び、第１ガイド部と第２ガイド部とを連結する。
【００１１】
好ましくは、第１ガイド部は、第１リール本体部と当接する。
【００１２】
好ましくは、ガイド部材は、第２ガイド部から第２リール本体部に向かって延びる当接部をさらに有する。当接部は、第２リール本体部と当接する。この構成によれば、第２リール本体部の外径が、第１リール本体部の外径よりも小さいときであっても、ガイド部材は当接部によって第２リール本体部と当接することができる。
【００１３】
第２ガイド部は、第２リール本体部と当接してもよい。
【００１４】
好ましくは、第１リール本体部は、第１凹部を外周面に有している。ガイド部材は、第１凹部に嵌合する第１凸部を有している。この構成によれば、ガイド部材と第１リール本体部との間に釣糸が入り込むことをより確実に防ぐことができる。
【００１５】
好ましくは、ガイド部材は、周方向における一方の端部において第１凸部を有し、周方向における他方の端部においてリール本体に取り付けられる。
【００１６】
好ましくは、第２リール本体部は、第２凹部を外周面に有している。ガイド部材は、第２凹部に嵌合する第２凸部を有している。この構成によれば、ガイド部材と第２リール本体部との間に釣糸が入り込むことをより確実に防ぐことができる。
【００１７】
好ましくは、ガイド部材は、周方向における一方の端部において第２凸部を有する。ガイド部材は、周方向における他方の端部においてリール本体に取り付けられる。
【発明の効果】
【００１８】
本発明によれば、ガイド部材とリール本体との間に釣糸が入り込むことを防止することができる。
【図面の簡単な説明】
【００１９】
【図１】両軸受リールの斜視図。
【図２】両軸受リールの断面図。
【図３】両軸受リールの正面図。
【図４】ガイド部材の斜視図。
【図５】変形例に係る両軸受リールの正面図。
【図６】変形例に係る両軸受リールの斜視図。
【発明を実施するための形態】
【００２０】
以下、本発明に係る両軸受リールの実施形態について図面を参照しつつ説明する。なお、以下の説明において、軸方向とは、スプールの回転軸Ｏが延びる方向を言う。また、周方向とは、回転軸Ｏを中心とした円の周方向を言う。径方向とは、回転軸Ｏを中心とした円の径方向を言う。前方とは、両軸受リールが釣糸を繰り出す方向を言う。
【００２１】
図１及び図２に示すように、両軸受リール１００は、リール本体２、スプール３、ガイド部材４、ハンドル５、及び回転伝達機構６を備えている。
【００２２】
図２に示すように、リール本体２は、第１リール本体部２１と第２リール本体部２２とを有している。第１リール本体部２１と第２リール本体部２２とは、軸方向に互いに間隔をあけて配置されている。詳細には、第１リール本体部２１はスプール３の第１端部側に配置され、第２リール本体部２２はスプール３の第２端部側に配置される。第１リール本体部２１と第２リール本体部２２とは、互いに連結部２３を介して連結されている。
【００２３】
リール本体２は、第１側板２１ａと、第１カバー２１ｂと、第２側板２２ａと、第２カバー２２ｂと、を有する。第１側板２１ａと第２側板２２ａとは、連結部２３によって連結されている。この第１側板２１ａ、第２側板２２ａ、及び連結部２３は、一体的に形成されており、リール本体２のフレームを構成している。例えば、第１側板２１ａ、第２側板２２ａ、及び連結部２３は、アルミ合金でダイキャスト成形によって一体的に形成されている。第１リール本体部２１は、第１側板２１ａと、第１カバー２１ｂとを有している。また、第２リール本体部２２は、第２側板２２ａと、第２カバー２２ｂとを有している。
【００２４】
スプール３は、第１リール本体部２１と第２リール本体部２２との間において、回転可能に配置されている。スプール３の外周面には、釣糸が巻き付けられる。スプール３は、スプール軸３０に固定され、スプール軸３０と一体的に回転する。なお、スプール軸３０は、第１リール本体部２１と第２リール本体部２２との間を延びている。スプール軸３０は、軸受部材などを介して、第１及び第２リール本体部２１，２２に回転可能に支持されている。
【００２５】
図３は、前方から見た状態の両軸受リールを示す正面図である。図３に示すように、ガイド部材４は、スプール３から前方へ繰り出される釣糸の移動範囲を規制するための部材である。ガイド部材４は、リール本体２に取り付けられている。詳細には、ガイド部材４は、リール本体２の連結部２３に取り付けられている。例えば、リベットなどによって、ガイド部材４は連結部２３に取り外し可能に取り付けられている。ガイド部材４は、前方から見た状態において、第１リール本体部２１及び第２リール本体部２２と重複している。すなわち、軸方向において、第１リール本体部２１の内壁面と第２リール本体部２２の内壁面との距離Ｌ１よりも、ガイド部材４の幅Ｌ２の方が大きい。また、ガイド部材４は、第１リール本体部２１及び第２リール本体部２２と当接している。
【００２６】
ガイド部材４は、例えば、アルミ合金製、ステンレス製、又はチタン製とすることができる。ガイド部材４がアルミ合金製の場合、ガイド部材４は、アルマイト加工処理又は硬質アルマイト加工処理が施されていることが好ましい。ガイド部材４がステンレス製の場合、ニッケル又はニッケルクロムめっき処理が施されていることが好ましい。ガイド部材４がチタン製の場合、イオンプレーティング処理が施されていることが好ましい。
【００２７】
図４に示すように、ガイド部材４は環状であって、ガイド孔４１を有している。このガイド孔４１内を釣糸が延びている。ガイド部材４は、取付部４２、第１ガイド部４３、第２ガイド部４４、第３ガイド部４５、及び当接部４６を備えている。取付部４２、第１ガイド部４３、第２ガイド部４４、第３ガイド部４５、及び当接部４６は、１つの部材によって形成されている。ガイド部材４は、板状の部材である。例えば、ガイド部材４は、１枚の板状部材の中央部を繰り抜くことによって形成されている。
【００２８】
図３及び図４に示すように、取付部４２は、連結部２３に取り付けられる部分であり、連結部２３に沿って延びている。取付部４２は、第１端部４２１と第２端部４２２とを有している。第１端部４２１は第１リール本体部２１側に位置し、第２端部４２２は第２リール本体部２２側に位置する。取付部４２は、複数の取付孔４２３を有している。この取付孔４２３を通ったボルトやリベットなどの締結部材が、連結部２３に締結されている。この結果、ガイド部材４がリール本体２の連結部２３に取り付けられる。すなわち、ガイド部材４は、リール本体２に対して取り外し可能である。
【００２９】
第１ガイド部４３は、取付部４２の第１端部４２１から周方向に延びている。詳細には、第１ガイド部４３は、第１リール本体部２１の外周面に沿って延びている。より詳細には、第１ガイド部４３は、第１リール本体部２１の第１側板２１ａの外周面に沿って延びている。なお、外周面とは、径方向外側を向く面である。第１ガイド部４３は、第１リール本体部２１の外周面と当接している。詳細には、第１ガイド部４３は、第１リール本体部２１の第１側板２１ａの外周面と当接している。
【００３０】
第２ガイド部４４は、取付部４２の第２端部４２２から周方向に延びている。詳細には、第２ガイド部４４は、第２リール本体部２２の外周面に沿って延びている。より詳細には、第２ガイド部４４は、第２リール本体部２２の第２側板２２ａの外周面に沿って延びている。第２ガイド部４４は、第２リール本体部２２の外周面と間隔をあけて配置されている。これは、第２リール本体部２２の方が、第１リール本体部２１よりも外径が小さいためである。詳細には、第２リール本体部２２の第２側板２２ａの方が、第１リール本体部２１の第１側板２１ａよりも外径が小さいためである。
【００３１】
第２ガイド部４４は、軸方向において第１ガイド部４３と間隔をあけて配置されている。詳細には、第２ガイド部４４は、第１ガイド部４３と実質的に平行に延びている。この第１ガイド部４３と第２ガイド部４４とによって、釣糸の軸方向の移動範囲を規定している。
【００３２】
第３ガイド部４５は、第１ガイド部４３と第２ガイド部４４との間を軸方向に延びている。第３ガイド部４５は、第１ガイド部４３の端部と、第２ガイド部４４の端部とを連結している。第３ガイド部４５は、取付部４２と間隔をあけて配置されている。詳細には、第３ガイド部４５は、取付部４２と実質的に平行に延びている。この第３ガイド部４５と取付部４２とによって、釣糸の周方向の移動範囲を規定している。
【００３３】
当接部４６は、第２ガイド部４４から径方向内側に延びている。すなわち、当接部４６は、第２ガイド部４４から第２リール本体部２２に向かって延びている。当接部４６は、第２リール本体部２２の外周面に当接している。例えば、当接部４６は、第２ガイド部４４から軸方向外側に突出した部分を第２リール本体部２２側に折り曲げることによって形成されている。
【００３４】
図２に示すように、ハンドル５は、第１リール本体部２１に回転可能に装着されている。詳細には、ハンドル５は、第１リール本体部２１から突出した駆動軸６１に取り付けられている。ハンドル５の回転は、回転伝達機構６を介してスプール３に伝達される。
【００３５】
回転伝達機構６は、ハンドル５の回転をスプール３に伝達する機構である。回転伝達機構６は、第１リール本体部２１の内部空間内に配置されている。詳細には、回転伝達機構６は、駆動軸６１、駆動ギア６２、及びピニオンギア６３を有する。
【００３６】
駆動軸６１は、ハンドル５と連結されており、ハンドル５と一体的に回転する。なお、駆動軸６１は、ワンウェイクラッチ６４によって、釣糸繰り出し方向への回転が禁止される。
【００３７】
駆動ギア６２は、駆動軸６１に装着され、駆動軸６１と一体的に回転する。ピニオンギア６３は、駆動ギア６２にかみ合う。なお、ピニオンギア６３は筒状である。ピニオンギア６３は、クラッチ機構６５を介してスプール軸３０と連結されている。クラッチ機構６５がオン状態のとき、ピニオンギア６３とスプール軸３０は一体的に回転し、クラッチ機構６５がオフ状態のときはピニオンギア６３とスプール軸３０とは相対回転可能となる。例えば、クラッチ機構６５は、スプール軸３０を径方向に貫通する係合ピンと、ピニオンギア６３に形成された係合凹部とによって構成される。ピニオンギア６３が軸方向に移動することによって、クラッチ機構６５のオン状態とオフ状態とを切り替える。
【００３８】
上述した両軸受リール１００によれば、前方から見た状態において、ガイド部材４は、第１リール本体部２１及び第２リール本体部２２と重複するとともに、第１リール本体部２１と第２リール本体部２２とに当接している。このため、ガイド部材４とリール本体２との間に釣糸が入り込むことを防止できる。
【００３９】
［変形例］
以上、本発明の実施形態について説明したが、本発明はこれらに限定されるものではなく、本発明の趣旨を逸脱しない限りにおいて種々の変更が可能である。例えば、図５に示すように、ガイド部材４は、当接部４６を有していなくてもよい。この場合、第２ガイド部４４が第２リール本体部２２と当接する。
【００４０】
また、ガイド部材４は、第１リール本体部２１及び第２リール本体部２２と嵌合していてもよい。詳細には、図６に示すように、第１リール本体部２１は、第１凹部２１ｃを外周面に有している。ガイド部材４は、この第１凹部２１ｃに嵌合する第１凸部４７を有している。ガイド部材４は、周方向における一方の端部において第１凸部４７を有している。取付部４２は、周方向において、ガイド部材４の他方の端部に配置されている。すなわち、第１凸部４７は、周方向において、取付部４２の反対側に配置されている。なお、第１凸部４７は、板状の部材を折り曲げて形成することができる。
【００４１】
第２リール本体部２２は、第２凹部２２ｃを外周面に有している。ガイド部材４は、この第２凹部２２ｃに嵌合する第２凸部４８を有している。ガイド部材４は、周方向における一方の端部において第２凸部４８を有している。なお、第２凸部４８は、周方向において、取付部４２の反対側に配置されている。取付部４２は、周方向において、ガイド部材４の他方の端部に配置されている。すなわち、第２凸部４８は、周方向において、取付部４２の反対側に配置されている。なお、第２凸部４８は、板状の部材を折り曲げて形成することができる。
【符号の説明】
【００４２】
１００    ：両軸受リール
２        ：リール本体
２１      ：第１リール本体部
２２      ：第２リール本体部
３        ：スプール
４        ：ガイド部材
４２      ：取付部
４２１    ：第１端部
４２２    ：第２端部
４３      ：第１ガイド部
４４      ：第２ガイド部
４５      ：第３ガイド部
４６      ：当接部
【図１】
0006640552.tif 000002
【図２】
0006640552.tif 000003
【図３】
0006640552.tif 000004
【図４】
0006640552.tif 000005
【図５】
0006640552.tif 000006
【図６】
0006640552.tif 000007